(57)【要約】【課題】開口部内のラッチ位置にあるハウジングの長手方向、横方向の動きを許容しつつ、回転方向の動きを規制するパネル組み付けコネクタ【解決手段】ハウジング本体１００の左右側壁１３０、１４０から外向きに延びる左右一対のフランジ２０と、これとパネル５０を挟む支持フランジ２５とを有し、挿入位置でハウジング本体１００とフランジ２０が通過できるように切り取られたパネル５０の開口部５１に取り付くハウジング１０を備えるパネル組み付きコネクタ１であって、ハウジング本体１００の前壁１１０から前方に延びる左右方向に広がるラッチアーム３０と、左右端部近くに突部３２とを備え、ハウジング１０の挿入位置でラッチアーム３０はパネル５０裏面に当接しラッチ位置でラッチアーム３０の突部３２は開口部５０に嵌りコネクタ１をパネル５０に保持する。【選択図】図１
2016038950.tif 000002
【特許請求の範囲】
【請求項１】
左右側壁および前後壁を有するハウジング本体と、
このハウジング本体の左右側壁から外向きに延びる少なくとも左右一対のフランジと、
このフランジと上下で対をなし、パネルの厚み方向を間に挟む支持フランジとを有し、
前記ハウジング本体の挿入位置で前記支持フランジは前記ハウジング本体の挿入側の前記パネル裏面に当接し、前記ハウジング本体と前記フランジが通過できるように切り取られ、
前記挿入位置からスライド移動した前記ハウジング本体のラッチ位置で前記支持フランジは前記パネル裏面に当接し、前記フランジは前記パネル表面に当接することで前記ハウジング本体が取り付くことができるように切り取られた開口部を備える前記パネルのこの開口部に取り付くハウジングと、
このハウジングに組み付くコンタクトと、を備えるパネル組み付きコネクタであって、
前記ハウジング本体の前壁から前方に延びる左右方向に広がるラッチアームと、
このラッチアームの左右端部近くにラッチ突部と、を備え、
前記ハウジングの前記挿入位置で前記ラッチアームは前記パネル裏面に当接し
前記ラッチ位置で前記ラッチアームの前記突部は前記開口部に嵌るところに特徴を有するパネル組み付きコネクタ。
【請求項２】
前記ラッチアームの上面中央部に段状に重なるリブを備えるところに特徴を有する請求項１記載のパネル組み付きコネクタ。
【請求項３】
前記フランジが前記ハウジング本体の側壁の前方寄りおよび後方寄りの位置から外方向に延びるところに特徴を有する請求項１又は２記載のパネル組み付きコネクタ。
【請求項４】
前記突部が円錐台形であるところに特徴を有する請求項１から３のうち一項記載のパネル組み付きコネクタ。
【発明の詳細な説明】
【技術分野】
【０００１】
本発明は、パネル組み付きコネクタに関し、詳しくは、位置ズレ吸収機構を備えるパネル組み付きコネクタに関する。
【背景技術】
【０００２】
パネル組み付きコネクタが知られている。特許文献１記載の技術によれば、コネクタを構成するハウジングは少なくとも一つの外方に突出する位置決めフランジとストップフランジを備えている。ハウジングは、パネル開口部を挿入位置からラッチ位置へと移動することができ、ラッチアームはハウジングがラッチ位置にあるときにパネルのラッチ縁に係止できるようにハウジングから外方に突出している。保護シュラウドはラッチアームの大部分を取り巻いて配置され、ハウジングがラッチ位置にあるときにハウジングと協働してパネルの開口部をほぼ閉じるに十分なサイズを備えている。
【０００３】
この技術によれば、パネルの開口部を挿入位置からラッチ位置へハウジングが移動することによって、ハウジングをパネルに組み付けることができ、同時に、保護シュラウドによって開口部をほぼ閉じることができるので、内部への異物の侵入を防ぐこともできる。
【先行技術文献】
【特許文献】
【０００４】
【特許文献１】特開２００１−１０２１３５号公報
【発明の概要】
【発明が解決しようとする課題】
【０００５】
ハウジング本体よりも大きく作られた開口部にハウジングを挿入位置からラッチ位置へ移動するだけで、長手方向および幅方向の動きの自由度を備えた状態でハウジングをパネルの所定の位置に組み付けることができる。ラッチ位置で、三角形状のラッチアームの頂点に備わるラッチ突起が開口部の縁部に係止することで、長手方向のハウジングの動きは規制され、またハウジング本体側壁部が開口部長手方向縁部と係止することで、幅方向の動きが規制される。このように、開口部はハウジングに対して長手方向、幅方向ともにクリアランスが設けられていて、ハウジングの挿入、移動が容易にできるようになっている。これと同時に、クリアランスは、ハウジングの位置ズレを吸収する機能も併せて備えている。
【０００６】
しかし、ラッチ突起は三角形状のラッチアームの頂点に一つ備わるだけなので、幅方向の開口部縁部との係止までの距離が左右とも大きくなり、開口部に対するハウジングの回転変位の抑制が効きにくい状態である。
【０００７】
本発明は、係る事情を鑑みてなされたものであり、開口部内のラッチ位置にあるハウジングの長手方向および幅方向の動きの自由度は所定量を確保しつつ、ズレ吸収にとって抑制されることが望まれる回転方向の変位を規制することができるパネル組み付きコネクタを提供することを目的とする。
【課題を解決するための手段】
【０００８】
上記課題を解決するために、本発明に係るパネル組み付けコネクタは、（１）左右側壁および前後壁を有するハウジング本体と、このハウジング本体の左右側壁から外向きに延びる少なくとも左右一対のフランジと、このフランジと上下で対をなし、パネルの厚み方向を間に挟む支持フランジとを有し、前記ハウジング本体の挿入位置で前記支持フランジ
は前記ハウジング本体の挿入側の前記パネル裏面に当接し、前記ハウジング本体と前記フランジが通過できるように切り取られ、前記挿入位置からスライド移動した前記ハウジング本体のラッチ位置で前記支持フランジは前記パネル裏面に当接し、前記フランジは前記パネル表面に当接することで前記ハウジング本体が取り付くことができるように切り取られた開口部を備える前記パネルのこの開口部に取り付くハウジングと、このハウジングに組み付くコンタクトと、を備えるパネル組み付きコネクタであって、前記ハウジング本体の前壁から前方に延びる左右方向に広がるラッチアームと、このラッチアームの左右端部近くにラッチ突部と、を備え、前記ハウジングの前記挿入位置で前記ラッチアームは前記パネル裏面に当接し、前記ラッチ位置で前記ラッチアームの前記突部は前記開口部に嵌るところに特徴を有するものである。
【０００９】
この発明によれば、左右方向に広がるラッチアームの左右端部近くに突部が備わる。これにより、開口部内のラッチ位置にあるハウジングの前後方向および左右方向の動きの自由度は所定量が確保されつつ、突部と開口部の左右側縁が当接するのでズレ吸収にとって抑制されることが望まれる回転方向の変位が規制されるパネル組み付きコネクタが得られる。
【００１０】
ラッチアームは、大きさに特に制限はなく、ハウジング本体の左右方向の幅に比べて小さい場合があってもよい。ラッチアームは、これが有する機能からハウジング本体の左右方向の幅と同じ幅、あるいはコネクタの小型化にとって仮に許される場合があるならば、より大きい幅を備えていることが好ましい。これにより、突部によるハウジングの回転方向の規制がより効果的に作用することとなる。
【００１１】
ラッチアームは、形状に特に制限はなく、左右方向に延びる矩形であってよい。また、正方形、三角形、楕円形、円形であってもよい。ラッチアームは、これが有する機能から左右方向に延びる形状が好ましい。
【００１２】
突部は、開口部内にあるハウジングのラッチ位置で、開口部前縁、或いは開口部左右側縁に近接する位置に備わることが好ましい。このように前縁、或いは側縁の近接位置にあることで、ハウジングの前後方向、左右方向の移動の自由度を確保しつつ、回転方向の動きの規制が図りやすくなるからである。
【００１３】
突部は、パネルの断面厚みに掛かる程度の高さを備えている。パネル厚みに比べて大きすぎると、ハウジングが挿入位置からラッチ位置に移動する過程で突部先頭とこれが接するパネルとの摩擦力が大きくなり、ハウジングの挿入位置からラッチ位置への移動が困難になる。また突部の高さがパネル厚みに比べて小さすぎると開口部内でのハウジングの動きの規制が効かなくなるおそれがある。
【００１４】
ラッチアームは、２つあってもよく、その場合、ハウジング本体の前方、および後方の２箇所にあってもよい。このように、ハウジング本体の前方、および後方に備わることで、開口部内のラッチ位置にあるハウジングの前後方向、左右方向の移動の自由度を確保しつつ、回転方向の動きをより効果的に規制することができるようになる。
【００１５】
ラッチ用の突部は、形状に特に制限はなく、円柱形、円錐台形、お椀形であってよく、或いはＬ字形で開口部の前縁から左右側縁にかけての角部に沿う形状であってもよい。ラッチ用の突部は、数量に特に制限はなく、ラッチアームの左右端部にそれぞれ一つ備わる場合の他、左右端部にそれぞれ前後方向に離間して二つ備わる場合であってもよい。また、中央前端にも一つ備わる場合であってもよい。
【００１６】
さらに好ましくは、本発明に係るパネル組み付きコネクタは、（２）ラッチアームの上
面中央部に段状に重なるリブを備えるところに特徴を有する（１）記載のものである。
【００１７】
この発明によれば、ハウジングは、ラッチアームの上面中央部に段状に重なるリブを備えている。これにより、ラッチ位置にあるハウジングは、開口部の開口縁とリブの周縁との当接が生じる。これにより、開口部内でラッチ位置にあるハウジングの前後方向、左右方向の移動の自由度を確保しつつ、回転方向の動きを規制することができる場合がある。
【００１８】
リブは、ラッチアームの上面中央部に段状に重なり、対応するパネル開口部が、対応位置にリブ形状に切り欠かれたリブスロットを備えている場合、これにより、コネクタの向きを誤って、コネクタをパネル開口部に挿入しようとするとき、リブがパネル開口部以外のパネル面に衝突し、コネクタの挿入が阻止されるので、コネクタの誤挿入が抑制されることとなる。
【００１９】
さらに好ましくは、本発明に係るパネル組み付きコネクタは、（３）前記フランジが前記ハウジング本体の側壁の前方寄り、および後方寄りの位置から外方向に延びるところに特徴を有する（１）又は（２）記載のものである。
【００２０】
この発明によれば、支持フランジと協働で、ハウジングを挟持するためのフランジが側壁の2箇所から外に延びるので、パネルにハウジングを保持する状態が安定して得られる。
【００２１】
さらに好ましくは、本発明に係るパネル組み付きコネクタは、（４）前記突部が円錐台形であるところに特徴を有する（１）から（３）のうち一項記載のものである。
【００２２】
この発明によれば、突部が円錐台形であるので、ハウジングをパネル開口部内で挿入位置からラッチ位置へスムーズに移動させることができる。すなわち、突部の先端がパネル裏面に摺接する状態から、突部の周縁が開口部の縁部に係る状態を経て、突部全体が開口部内に嵌り込む状態に移行するとき、突部はテーパー面に沿って緩やかに縁部の位置を変えることができるので、上下の急激な変化を比較的滑らかに進めることができる。
【００２３】
突部の円錐台形は、突部全体が円錐台形の場合の他、基端部から中間までは円柱状に延びこれより先が円錐台形の場合であってもよい。このような場合でも、上下の急激な変化を比較的滑らかに進めることができる。
【図面の簡単な説明】
【００２４】
【図１】図１は、本発明の実施形態に係るコネクタの外観斜視図である。
【図２】図２は、同コネクタの上面図である。
【図３】図３は、同コネクタの下面図である。
【図４】図４は、同コネクタの側面図である。
【図５】図５は、同コネクタの端面図でって、（１）は、前端側、（２）は、後端側である。
【図６】図６は、同コネクタが組み付く開口部が形成されたパネルの平面図である。
【図７】図７は、同コネクタがパネル開口部の挿入位置にある状態の平面図である。
【図８】図８は、同コネクタがパネル開口部のラッチ位置に移動された状態の平面図である。
【図９】図9は、同コネクタがパネル開口部内で反時計方向に回転した状態の平面図である。
【発明を実施するための形態】
【００２５】
本発明の実施形態について、図面に従って説明する。図１は、本発明の実施形態に係る
コネクタの外観斜視図である。図２は、同コネクタの上面図である。図３は、同コネクタの下面図である。図４は、同コネクタの側面図である。図５は、同コネクタの端面図でって、（１）は、前端側、（２）は、後端側である。なお説明で指示する方向は、図面中の方向指示の定義に従う。
【００２６】
パネル５０に組み付くコネクタ１は、図１に示されるように、非導電性のハウジング１０と、このハウジング１０に装着される導電性のコンタクト（図示しない）とを備えている。ハウジング１０は、合成樹脂からなる射出成形品で全体が一体的に成形されている。コンタクトは、加工性、耐食性等を考慮して一般的に銅合金の圧延材から加工される。
【００２７】
ハウジング１０は、図１乃至図５に示されるように、コンタクトが装着される空間を内部に備え、軸方向Ａに沿って延びる四つのポスト１５０と、このポスト１５０を田の字形に支える平面視矩形の本体１００とを備えている。コンタクトは、ハウジング１００の底面からポスト１５０内部の空間に挿入され、壁面に備わる図示しないラッチ機構によって固定される。ポスト１５０は、互いに所定の間隔を設けて田の字形に組まれている。ポスト１５０の先端は、周囲がＣ面処理された中央に開口部が備わる平坦面で、開口部は、コンタクトが収まる空間に連通している。対応するコンタクトは、この開口部を通して挿入されコンタクトに電気的機械的に接続する。
【００２８】
本体１００は、図1、図4、図5に示されるように、上壁１０５、底壁１０７、前壁１１０、後壁１２０、および左右側壁１３０、１４０を備える6面体で、上壁１０５に四つのポスト１５０を田の字形に備えている。前壁１１０の下端には、前方に向けてラッチアーム３０が延びている。
【００２９】
左右側壁１３０、１４０には、図1乃至図5に示されるように、水平方向外向きに延びる位置決め用のフランジ２０が備わる。フランジ２０は、左右側壁１３０および１４０に離間して２つ備わり、一方のフランジ２０は前端寄りに位置し、他方のフランジ２０は後端寄りに位置している。左右側壁１３０、１４０から後壁１２０にかけては、図1乃至図5に示されるように、コネクタ１をフランジ２０との協働でパネル５０に支持するための支持フランジ２５が備わる。支持フランジ２５は、後壁１２０、および側壁１３０、１４０の底縁の周面から一定の幅を保ちつつ環状に延びている。
【００３０】
支持フランジ２５は、図4、図5に示されるように、側面視および背面視ともに一定の厚みを備え、本体１００の側壁１３０、１４０から後壁１２０にかけてその底縁から周方向に環状に延びている。支持フランジ２５は、図2に示されるように、平面視矩形で、その周面は本体１００の周面に対して一定の幅を保ちつつその外方に位置している。
【００３１】
支持フランジ２５の底面２６は、図3に示されるように、平坦で本体の底壁１０７と面一でつながる。また、フランジ２０が位置するところの軸方向Ａの対象位置に開口部が形成されている。支持フランジ２５の上面２７は、図1、図2に示されるように、全体的に肉盗みが形成され、網目状のリブが形成されている。これにより、射出成形時の樹脂の充填性、硬化時の引け、内部の引け巣の発生などが抑制されるものである。
【００３２】
このように、支持フランジ２５上面２７側には、網目状のリブが形成されているが、図4、図5に示されるように、その上面２７は平坦である。一対のフランジ２０の下面２１は、軸方向Ａのレベルが等しく調整されている。フランジ２０は、図4に示されるように、本体側壁１３０、１４０の軸方向Ａの中央部に前後に離間して備わる。これにより、支持フランジ２５の上面２７と対応するフランジ２０の下面２１との間には、軸方向Ａに沿って所定の隙間が形成されている。このようにして形成された隙間にパネル開口部５１の縁部がその厚みを挟持され、ハウジングがパネルに保持されることとなる。
【００３３】
フランジ２０は、図２に示されるように、断面矩形の柱状で支持フランジ２５の張出量と概ね同じ量が張り出すように延び、同じ構造のものが本体側壁１３０、１４０の前端寄りと、後端寄りとに離間して備わる。これにより、フランジ２０の下面２１と、支持フランジ２５の上面２７との間で形成される隙間でパネル開口部５１の縁部を安定的に保持するることとなる。
【００３４】
ラッチアーム３０は、図1乃至図5に示されるように、本体前壁１１０に備わる、平面視矩形の板状体で、本体１００と連結部３１を介して連なっている。ラッチアーム３０は、図4、図5に示されるように、軸方向Ａの同じ位置で、支持フランジ２５と同じ厚みを備えて広がる。ラッチアーム３０の上面３３は、支持フランジ２５の上面２７と軸方向Ａに沿って同じレベルにあるが、支持フランジ２５との一体性は、ラッチアーム３０の後端部の切れ込みによって絶たれている。これにより、ラッチアーム３０の左右端部は、軸方向Ａに沿って弾性的に変位することができる。
【００３５】
ラッチアーム３０は、図1、図2に示されるように、左右端部の後方寄りの上面３３に円錐台形の突部３２を備えている。突部３２は、コネクタ１とパネル開口部５１との隙間が大きい場合でもハウジング１０の回転やずれを抑制することができる。突部３２の形状は、円錐台形に限定されるものではない。突部３２は、円柱形、円錐形、楕円柱形、あるいは一方向に延びるＩ字形、Ｌ字形に延びる形状であってもよい。突部３２の個数は、2つに限定されるものではない。左右2つずつあってもよく、左右に1つずつで中央に一つの計3つであってもよい。
【００３６】
ラッチアーム３０は、図1乃至図3に示されるように、左右方向に延びる板状体で、その中央部で左右方向に延びる連結部３１で本体前壁１１０の下端に連なる。ラッチアーム３０は、誤嵌合防止のためのリブ４０を中央部先端に備えている。リブ４０は、断面矩形の柱状体でラッチアーム３０の上面３３に重なるように備わり、その一部がラッチアーム３０の前縁よりも前方にやや張り出している。リブ４０は、後面側に補強用のリブ４５を備えている。補強用リブ４５は、図1、図4に示されるように、リブ４０の後面と本体前壁１１０との間を底面をラッチアーム３０の上面３３に接しながら連結している。
【００３７】
ラッチアーム３０は、図1に示されるように、リブ４０が備わる中央下面に左右に離間して断面厚みが薄くなった腕部３５を備えている。ラッチアーム３０は、腕部３５を支点にして左右先端部が軸方向Ａに沿って弾性的に変位することができる。
【００３８】
〈コネクタのパネルへの組み付き〉本実施形態のコネクタ１をパネル５０に組み付ける手順を図面に従って説明する。図６は、本発明に実施形態に係るコネクタが組み付く開口部が形成されたパネルの平面図である。図７は、同コネクタがパネル開口部の挿入位置にある状態の平面図である。図８は、同コネクタがパネル開口部のラッチ位置に移動された状態の平面図である。図9は、同コネクタがパネル開口部内で反時計方向に回転した状態の平面図である。
【００３９】
本実施形態のコネクタ１が組み付くパネル５０は、図6に示されるように、前縁５１０、後縁５２０、左右側縁５３０を備える前後方向に比較的長い開口部５１が形成されている板状の剛体である。前縁５１０の中央部には、前方に窪むリブスロット５７０が形成され、左右側縁５３０には、前方に前スロット５５０、後方に後スロット５６０が凹状に形成されている。前スロット５５０は、後スロット５６０に比べて、大きな窪みが形成されている。
【００４０】
コネクタ１は、パネル５０への組み付け時、この開口部５１に挿入される。前スロット
５５０には前側のフランジ２０が挿入され、後スロット５６０には後側のフランジ２０が挿入される。また、リブスロット５７０には、リブ４０が挿入される。
【００４１】
〈コネクタをパネルに挿入〉コネクタ１を、図7に示されるように、パネル５０の挿入位置に合わせる。このとき、コネクタ１は、パネル５０の裏面側にある。前側のフランジ２０は、前スロット５５０の位置に調整され、後側のフランジ２０は、後スロット５６０の位置に調整される。この調整位置で、ラッチアーム３０のリブ４０は、リブスロット５７０に収まる位置にある。コネクタ１のフランジ２０、およびリブ４０がパネル５０の対応する位置に調整されたとき、コネクタ１を軸方向Ａに沿って挿入する。
【００４２】
このとき、前側のフランジ２０は、パネル５０に対して裏面側からその厚みを越えて表側に移動するので、前側のフランジ２０の下面２１は、パネル５０の上面５０１よりもやや上の近接位置にある。同じく、後側のフランジ２０の下面２１は、パネル５０の上面５０１よりもやや上の近接位置にある。このように、前側のフランジ２０、および後側のフランジ２０がともにパネル５０の厚みを越えた状態にあるとき、支持フランジ２５は、その上面２７をパネル５０の下面５０２に近接させている。
【００４３】
コネクタ１のパネル５０への挿入過程で、ラッチアーム３０は、リブ４０の軸方向Ａのいくらかが、パネル５０のリブスロット５７０を通過する位置にあるが、左右端部にある突部３２の先端がパネル５０の下面５０２に当たるので、この当たりの反動に抗する力を掛けるにしたがい、ラッチアーム３０は、左右端部が腕部３５を支点にして反軸方向Ｂへの傾きを増していく。コネクタ１が正規挿入位置に達したとき、前側のフランジ２０、および後側のフランジ２０ともにパネル５０の厚みを越えた状態にあり、このときラッチアーム３０の反軸方向Ｂへの撓みは最大量になっている。
【００４４】
ラッチアーム３０は、突部３２の先端をパネル５０の下面５０２に当てた状態で、左右端部が腕部３５を支点にして反軸方向Ｂに撓んでいる。このとき、ラッチアーム３０は、大きな復元力を蓄えている。コネクタ１を、図8に示されるように、正規挿入位置からラッチ位置へ動かす。このとき、前側のフランジ２０は、いくらかも前スロット５５０に重なることがないほどに前スロット５５０の位置から後方へずれる。同じく後側のフランジ２０も後スロット５６０の位置から後方へずれる。このようなコネクタ１の後方への移動によって、前側のフランジ２０、および後側のフランジ２０と、支持フランジ２５との作用によって、コネクタ１は、その厚み方向でパネル５０を挟持することとなる。
【００４５】
このとき、ラッチアーム３０は、図8に示されるように、パネル５０に対して軸方向Ａに押圧をかけた状態で後方に移動し、コネクタ１が所定のラッチ位置に達したとき、一対の突部３２は、パネル５０面から前スロット５５０の開口縁を経て、その後全体が開口部５１へ嵌り込む。コネクタ１のラッチ位置で、ラッチアーム３０に蓄えられていた復元エネルギーは解放され、その解放によって、ラッチアーム３０の無負荷状態への復元とともに突部３２は、前スロット５５０に嵌り込む。これにより、ラッチアーム３０の突部３２は開口部５１縁部に係止し、コネクタ１が開口部５１から抜けることが抑制されこととなる。
【００４６】
パネル５０の開口部５１の外形は、図7、図8に示されるように、この開口部５１に組み付くハウジング１０の本体１００の外形に比べて前後方向だけでなく、左右方向にも大きく形成されていて、最終組付き位置（ラッチ位置）にあるコネクタ１は、開口部内を前後、左右を自由に移動することができる。このように、コネクタ１のパネル５０内での組み付き位置の自由度が許容されているので、コネクタのパネルに対する組み付き位置のズレを吸収することが可能になる。
【００４７】
突部３２は、図８に示されるように、前スロット５５０に嵌り込み、コネクタ１の前方への移動過程で、突部３２の前縁が前スロット５５０の前縁に当たる位置があり、この当たる位置で、コネクタ１の前方への移動が規制される。また、コネクタ１の後方への移動過程で、突部３２の後縁が前スロット５５０の後縁に当たる位置があり、この当たる位置で、コネクタ１の後方への移動が規制されることとなる。
【００４８】
このように、コネクタ１の前後方向への移動の自由度は、突部３２の前縁、あるいは後縁と、前スロット５５０の前縁、あるいは後縁との当接によって生じる規制の範囲内にある。したがって、たとえば、突部３２をその直径が大きな突部３２と置き換えることによって、前後方向の移動の自由度は、置き換える前に比べて小さくなり、逆に、突部３２をその直径が小さな突部３２と置き換えることによって、前後方向の移動の自由度は、置き換える前に比べて大きくなる。
【００４９】
また、本実施形態では、突部３２の形状は円錐台形であるが、前後方向に延びる矩形状であってもよい。このように突部３２が矩形状の場合でも、突部３２の前縁、あるいは後縁と、前スロット５５０の前縁、あるいは後縁との当接によって、コネクタ１の前後方向の自由度が規制できるので、矩形状の突部３２の前後長を調節することでコネクタ１の前後方向の移動可能量（自由度）を制限することができるようになる。
【００５０】
コネクタ１が、図9に示されるように、パネル５０の開口部５１内を回転する場合、反時計方向の回転の場合は、ラッチアーム３０の左側にある突部３２の後縁と前スロット５５０の後縁が当たり、ラッチアーム３０の右側にある突部３２の前縁と前スロット５５０の前縁とが当たる。この当たりによって、前後方向、左右方向の移動の自由度を確保しつつ、コネクタ１の反時計回りの動きを規制することができることとなる。
【００５１】
コネクタ１が時計方向に回転する場合は、同様に、突部３２と前スロット５５０との当たりによって、前後方向、左右方向の移動の自由度を確保しつつ、コネクタ１の時計回りの動きを規制することができることとなる。突部３２が左右方向に延びるラッチアーム３０の左右端部に位置するので、コネクタ１のパネル５０に対する回転の自由度の制限を厳しくすることが可能であり、これにより、コネクタ１とパネル５０の開口部５１との隙間が大きく設計されている場合でも、コネクタ１のパネル５０の開口部５１内での回転変位を抑制することができる。
【００５２】
このように、コネクタ１のパネル５０の開口部５１内での回転変位は、突部３２の前縁、あるいは後縁と、前スロット５５０の前縁、あるいは後縁との当接によって生じる規制の範囲内にある。したがって、たとえば、突部３２をその直径が大きな突部３２と置き換えることによって、コネクタ１の回転変位を、置き換える前に比べて小さくすることができる。
【００５３】
また、本実施形態では、突部３２の形状は円錐台形であるが、前後方向に延びる矩形状であってもよい。このような突部３２が矩形状の場合でも、突部３２の前縁、あるいは後縁と、前スロット５５０の前縁、あるいは後縁との当接によって、コネクタ１の回転変位が規制できるので、矩形状の突部３２の前後長を長くすることでコネクタ１の回転変位を制限することができるようになる。
【００５４】
リブ４０は、図7、図8に示されるように、左右方向に延びるラッチアーム３０の中央部に軸方向Ａに重なるように位置し、先端がラッチアーム３０の前縁より前方に張り出している。このように、リブ４０はラッチアーム３０の上面３３に段状に重なるので、ハウジング１０が挿入されるパネル５０の開口部５１は、図6に示されるように、リブ４０の外形に沿って切り欠かれた形状のリブスロット５７０がその前縁に形成されている。
【００５５】
コネクタ１をパネル５０の開口部５１に挿入する場合、前後方向を誤って逆方向に向けている場合。パネル５０の開口部５１に対してリブ４０の上面がパネル５０の下面５０２に衝突し、ハウジング１０を開口部５１に挿入することができないので、ハウジング１０の誤挿入が抑制されることとなる。
【００５６】
また、コネクタ１がパネル５０の開口部５１内で回転する際、図9に示されるように、リブ４０の周縁がリブスロット５７０の側縁と当たり、回転が抑制される場合がある。このように、リブ４０はコネクタ１の回転を抑止する機能を備えている。
【００５７】
〈効果〉本実施形態に係るコネクタ１よって奏される効果について説明する。
（１）本実施形態に係るコネクタ１は、ハウジング本体１００の前壁１１０にラッチアーム３０を備えているので、コネクタ１がパネル５０の開口部５１の挿入位置からラッチ位置へ移動された状態で、ラッチ作用が働く。これにより、コネクタ１は、パネル５０の開口部５１で保持されることとなる。
【００５８】
（２）本実施形態に係るコネクタ１は、左右方向に延びるラッチアーム３０の左右端部それぞれにラッチ用の突部３２を備えているので、突部３２の縁部と、パネル５０の開口部５１に形成された前スロット５５０の縁部との当接によって、コネクタ１のパネル５０の開口部５１内での前後方向、左右方向の移動の自由度を確保しつつ、時計方向の回転動きを規制することができることとなる。
【００５９】
（３）本実施形態に係るコネクタ１は、左右方向に延びるラッチアーム３０の左右端部それぞれにラッチ用の突部３２を備えているので、突部３２の縁部と、パネル５０の開口部５１に形成された前スロット５５０の縁部との当接によって、コネクタ１のパネル５０の開口部５１内での前後方向、左右方向の移動の自由度を確保しつつ、反時計方向の回転動きを規制することができることとなる。
【００６０】
（４）本実施形態に係るコネクタ１は、左右方向に延びるラッチアーム３０の中央部にリブ４０を備えている。リブ４０は、左右方向に延びるラッチアーム３０の中央部に軸方向Ａに重なるように位置し、先端がラッチアーム３０の前縁より前方に張り出しでいる。このように、リブ４０はラッチアーム３０の上面３３に段状に重なるので、ハウジング１０が挿入されるパネル５０の開口部５１は、リブ４０の外形に沿って切り欠かれた形状のリブスロット５７０がその前縁に形成されている。したがって、コネクタ１をパネル５０の開口部５１に挿入する場合、前後方向を誤って逆方向に向けている場合。パネル５０の開口部５１に対してリブ４０の上面がパネル５０の下面５０２に衝突し、ハウジング１０を開口部５１に挿入することができないので、ハウジング１０の誤挿入が抑制されることとなる。
【００６１】
（５）本実施形態に係るコネクタ１は、ラッチアーム３０の中央部に肉厚の薄い腕部３５を備えている。これにより、腕部３５を支点にして突部３２が備わるラッチアーム３０両端が軸方向Ａに沿って弾性的に撓むことができる。
【００６２】
（６）本実施形態に係るコネクタ１は、ラッチアームがハウジング本体の幅を超えて左右方向に延び、左右端部に突部３２を備えている。突部は開口部の縁部に近接しているので、前後方向、左右方向の移動の自由度を確保しつつ、コネクタ１の回転変位を規制することができる。
【００６３】
〈改変等〉本発明の技術的範囲は、本実施形態に表される構成、配置、材料、及び手段等に限定して解釈されるものではない。本実施形態は、本発明の技術的範囲に含まれる実
施形態の一例に過ぎない。本発明の技術的思想の範囲以内で、本実施形態以外の構成、位置、形状をとることは許容される。
【符号の説明】
【００６４】
１          コネクタ
１０        ハウジング
１００      本体
１１０      前壁
１２０      後壁
１３０、１４０      側壁
１５０      ポスト
２０        フランジ
２５        支持フランジ
３０        ラッチアーム
３１        連結部
３２        突起
３５        腕部
４０        リブ
４５        補強用リブ
５０        パネル
５１        開口部
５１０      前縁
５２０      後縁
５３０      側縁
５５０      前スロット
５６０      後スロット
５７０      リブスロット
【図１】
2016038950.tif 000003
【図２】
2016038950.tif 000004
【図３】
2016038950.tif 000005
【図４】
2016038950.tif 000006
【図５】
2016038950.tif 000007
【図６】
2016038950.tif 000008
【図７】
2016038950.tif 000009
【図８】
2016038950.tif 000010
【図９】
2016038950.tif 000011